【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
ハザード検出器であって、
少なくとも１つのタイプの危険の存在を検出する少なくとも１つのハザード検出センサと、
前記ハザード検出器の周囲環境において明るさレベルを検知する光センサと、
発光体と、
前記少なくとも１つのハザード検出センサ、前記光センサ、および前記発光体と作動的通信状態において提供される処理システムとを含み、前記処理システムは、
前記光センサから前記ハザード検出器の前記周囲環境における前記明るさレベルの指示を受信し、
前記ハザード検出器の前記周囲環境における前記明るさレベルがしきい値に到達したと判断し、
前記ハザード検出器の１つ以上のコンポーネントのステータスチェックを実行し、
前記ステータスチェックに基いて、複数の発光状態から、ある発光状態を選択するよう構成され、前記複数の発光状態の各発光状態は前記ハザード検出器と関連付けられるステータスに割当てられ；前記処理システムはさらに、
前記ハザード検出器の前記周囲環境における前記明るさレベルが前記しきい値に到達したと判断されることに応答して、前記複数の発光状態のうちの前記選択された発光状態を用いて、前記発光体を発光させるよう構成される、ハザード検出器。
【請求項２】
前記少なくとも１つのハザード検出センサは煙検出センサおよび一酸化炭素検出センサを含む、請求項１に記載のハザード検出器。
【請求項３】
前記処理システムが、前記ハザード検出器の前記１つ以上のコンポーネントの前記ステータスチェックを実行するように構成されることは、前記処理システムが、
前記ハザード検出器のバッテリのバッテリ電荷がしきい値電荷レベルより下であると判断するよう構成されることを含み、前記発光状態は低いバッテリ状態を示す、請求項１または２に記載のハザード検出器。
【請求項４】
前記複数の発光状態の各発光状態は少なくとも色およびアニメーションパターンを含む、請求項１から３のいずれか１項に記載のハザード検出器。
【請求項５】
前記処理システムは、前記発光状態に、
少なくとも０．５秒間前記発光体の明るさレベルを徐々に増大すること、
少なくとも０．５秒間前記発光体の前記明るさレベルを維持すること、および
少なくとも０．５秒間前記発光体の前記明るさレベルを徐々に低減することを含ませるように構成される、請求項１から４のいずれか１項に記載のハザード検出器。
【請求項６】
無線ネットワークと通信するように構成された無線トランシーバをさらに含み、
前記処理システムは、さらに、前記無線トランシーバおよびインターネットを介してアクセス可能なリモートサーバシステムに要求を送信するよう構成される、請求項１から５のいずれか１項に記載のハザード検出器。
【請求項７】
前記処理システムは、さらに、
前記無線トランシーバを介して前記リモートサーバシステムから通知を受信するよう構成され、前記発光状態は、前記ハザード検出器の前記１つ以上のコンポーネントの前記ステータスチェックと、前記無線トランシーバを介して受信される前記リモートサーバシステムからの前記通知とに基いて、前記処理システムによって選択される、請求項６に記載のハザード検出器。
【請求項８】
前記発光体は、円形パターンで前記ハザード検出器から光を出力する複数の発光ダイオード（ＬＥＤ）を含む、請求項１から７のいずれか１項に記載のハザード検出器。
【請求項９】
前記ハザード検出器の機能を開始するようユーザによって作動されるように構成されたボタンをさらに含み、
前記複数のＬＥＤは前記ボタンを取囲む円形パターンで前記ハザード検出器から光を出力するよう構成される、請求項８に記載のハザード検出器。
【請求項１０】
前記処理システムはさらに、
前記ハザード検出器の前記周囲環境における前記明るさレベルが前記しきい値に到達したことを照明状態が示すと判断されることに応答して前記発光体を先に発光させてから少なくともしきい値時間期間が経過したかどうか判断し、
前記発光状態と、さらに、少なくとも前記しきい値時間期間が経過したと判断されることとに基いて、前記発光体を発光させるよう構成される、請求項１から９のいずれか１項に記載のハザード検出器。
【請求項１１】
前記ハザード検出器の前記周囲環境において動作を検知するモーション検出センサをさらに含み、
前記処理システムはさらに、
動作が前記ハザード検出器の前記周囲環境にあることを前記モーション検出センサが示すことと、前記ハザード検出器の前記周囲環境における前記明るさレベルが前記しきい値に到達したことを前記照明状態が示すこととに基いて、前記発光体を発光させるよう構成される、請求項１から１０のいずれか１項に記載のハザード検出器。
【請求項１２】
前記処理システムはさらに、
動作が前記ハザード検出器の前記周囲環境にあることを前記モーション検出センサが示すことと、前記ハザード検出器の前記周囲環境における前記明るさレベルが前記しきい値に到達したことを前記照明状態が示すことと、前記処理システムによって記憶されるユーザ定義される設定が、前記ハザード検出器は寝室の内部にないことを示すこととに基いて、前記発光体を発光させるよう構成される、請求項１１に記載のハザード検出器。
【請求項１３】
ハザード検出器のステータスを出力するための方法であって、
前記ハザード検出器によって前記ハザード検出器の周囲環境における明るさレベルを測定することと、
前記ハザード検出器によって、前記ハザード検出器の前記周囲環境における前記明るさレベルは記憶されたしきい値に到達したと判断することと、
前記ハザード検出器によって、前記ハザード検出器の１つ以上のコンポーネントのステータスチェックを実行することと、
前記ハザード検出器によって、前記ステータスチェックに基いて、複数の発光状態から、ある発光状態を選択することとを含み、前記複数の発光状態の各発光状態は前記ハザード検出器と関連付けられるステータスに割当てられ、前記方法はさらに、
前記ハザード検出器の前記周囲環境における前記明るさレベルが前記しきい値に到達したと判断されることに応答して、前記複数の発光状態のうちの前記選択された発光状態を用いて、前記ハザード検出器の発光体を前記ハザード検出器によって発光させることを含む、ハザード検出器のステータスを出力するための方法。
【請求項１４】
前記ハザード検出器は煙検出センサおよび一酸化炭素検出センサを含み、前記ハザード検出器の１つ以上のコンポーネントの前記ステータスチェックを実行することは、前記煙検出センサおよび前記一酸化炭素検出センサのステータスをチェックすることを含む、請求項１３に記載のハザード検出器のステータスを出力するための方法。
【請求項１５】
前記ハザード検出器によって無線ネットワークと無線で通信して、無線トランシーバおよびインターネットを介してアクセス可能なリモートサーバシステムに要求を送信することをさらに含む、請求項１３または１４に記載のハザード検出器のステータスを出力するための方法。
【請求項１６】
前記ハザード検出器によって、前記無線ネットワークを介して、前記リモートサーバシステムから通知を受信することをさらに含み、
前記発光状態は、前記ハザード検出器の前記１つ以上のコンポーネントの前記ステータスチェックと、前記無線ネットワークを介して受信される前記リモートサーバシステムからの前記通知とに基いて、処理システムによって選択される、請求項１５に記載のハザード検出器のステータスを出力するための方法。
【請求項１７】
前記ハザード検出器の前記周囲環境における前記明るさレベルが前記しきい値に到達したことを前記照明状態が示すと判断されることに応答して前記発光体を先に発光させてから少なくともしきい値時間期間が経過したかどうかを前記ハザード検出器によって判断することと、
前記発光状態と、さらに、少なくとも前記しきい値時間期間が経過したと判断されることとに基いて、前記発光体を前記ハザード検出器によって発光させることとをさらに含む、請求項１３から１６のいずれか１項に記載のハザード検出器のステータスを出力するための方法。
【請求項１８】
前記ハザード検出器の前記周囲環境における前記明るさレベルが前記しきい値に到達したと判断されることに応答して、前記複数の発光状態のうちの前記選択された発光状態を用いて、前記ハザード検出器の前記発光体を発光させることは、
少なくとも０．５秒間前記発光体の明るさレベルを徐々に増大すること、
少なくとも０．５秒間前記発光体の前記明るさレベルを維持すること、および
少なくとも０．５秒間前記発光体の前記明るさレベルを徐々に低減することを含む、請求項１３から１７のいずれか１項に記載のハザード検出器のステータスを出力するための方法。
【請求項１９】
ハザード検出器装置であって、
前記ハザード検出器装置の周囲環境において明るさレベルを測定するための手段と、
前記ハザード検出器装置の前記周囲環境における前記明るさレベルが記憶されるしきい値に到達したと判断するための手段と、
前記ハザード検出器装置の１つ以上のコンポーネントのステータスチェックを実行するための手段と、
前記ステータスチェックに基いて、複数の発光状態から、ある発光状態を選択するための手段とを含み、前記複数の発光状態の各発光状態は前記ハザード検出器装置と関連付けられるステータスに割当てられ、前記ハザード検出器装置はさらに、
前記ハザード検出器装置の前記周囲環境における前記明るさレベルが前記しきい値に到達したと判断されることに応答して、前記複数の発光状態のうちの前記選択された発光状態を用いて発光するための手段を含む、ハザード検出器装置。
【請求項２０】
無線ネットワークと無線で通信して、前記無線ネットワークおよびインターネットを介してアクセス可能なリモートサーバシステムに要求を送信するための手段と、
前記無線ネットワークを介して前記リモートサーバシステムから通知を受信するための手段とをさらに含み、
前記発光状態は、前記ハザード検出器装置の前記１つ以上のコンポーネントの前記ステータスチェックと、前記無線ネットワークを介して受信される前記リモートサーバシステムからの前記通知とに基いて選択される、請求項１９に記載のハザード検出器装置。
【請求項２１】
請求項１３から１８のいずれか１項に記載の方法をコンピュータに実行させるためのコンピュータプログラム。